(57)【特許請求の範囲】
【請求項１】
サウンドホールが設けられた表板を含む中空の胴体と、
両端が開口する音響管と、
前記胴体の内側に収容されて、前記音響管を前記表板に固定することなく、前記音響管の一方の開口端が前記サウンドホールの周縁部分に接触または近接するように前記音響管を前記胴体に支持する支持部材と、
を具備することを特徴とする楽器。
【請求項２】
前記支持部材を、前記表板に対向する裏板を補強する棒状部材、前記表板に交差する側板および弦が張られるネックを支持するネック支持部材の少なくとも一つに固定したことを特徴とする請求項１に記載の楽器。
【請求項３】
前記音響管と前記表板との隙間を埋める緩衝材をさらに具備することを特徴とする請求項１または２に記載の楽器。
【請求項４】
前記音響管を前記胴体に対して着脱可能にしたことを特徴とする請求項１から３のいずれか１の請求項に記載の楽器。
【発明の詳細な説明】
【技術分野】
【０００１】
この発明は、サウンドホールが設けられた表板であって、演奏によって振動する表板を有する楽器に関し、特にギターに関する。
【背景技術】
【０００２】
ギターは、サウンドホールが設けられた表板を有する楽器である。この種の楽器では、演奏によって表板が振動し、その振動により生じた音がサウンドホールから放射される。
【先行技術文献】
【特許文献】
【０００３】
【特許文献１】特開２０１０−４４３３９号公報
【発明の概要】
【発明が解決しようとする課題】
【０００４】
ギターに関し、音色をより良くする技術が特許文献１に開示されている。特許文献１の技術は、ギターのサウンドホールに取り付ける筒状の部材に関するものである。筒状の部材をサウンドホールに取り付けると、当該筒状の部材とギターの胴体とによりヘルムホルツ共鳴が発生する。その結果、ギターの低音が増強されてギターの音色が良くなる。しかし、特許文献１の筒状の部材は、サウンドホールへの装着に際して表板に固定される。表板に筒状の部材が固定されると、表板の質量が当該筒状の部材の質量分だけ増加する。このため、表板の振動は、その質量の増加に応じた分だけ減衰する傾向にある。表板の振動が減衰すると、サウンドホールから放射される音の音圧レベルが減少する。従って、特許文献１の筒状の部材を用いた場合、ギターの音量が減少する、という問題がある。ギターに限られず、サウンドホールが設けられた表板であって、演奏によって振動する表板を有する楽器であれば、特許文献１の筒状の部材を用いた場合と同様の問題が生じる。
【０００５】
この発明は以上のような事情に鑑みてなされたものであり、サウンドホールが設けられた表板であって、演奏によって振動する表板を有する楽器の音量を減少させることなく、その楽器の音色をより良くする技術的手段を提供することを目的としている。
【課題を解決するための手段】
【０００６】
この発明は、サウンドホールが設けられた表板を含む中空の胴体と、両端が開口する音響管と、前記胴体の内側に収容されて、前記音響管を前記表板に固定することなく、前記音響管の一方の開口端が前記サウンドホールの周縁部分に接触または近接するように前記音響管を前記胴体に支持する支持部材と、を具備することを特徴とする楽器を提供する。また、この発明は、これらの特徴を有するギターを提供する。
【０００７】
この発明によれば、音響管の一方の開口端がサウンドホールの周縁部分に接触または近接するため、音響管はバスレフポートとして機能する。このため、本楽器は、音響管と胴体とによるヘルムホルツ共鳴周波数の音（特に低音）が増強される。また、音響管は、表板に固定されずに支持部材を介して胴体に固定される。このため、表板は、音響管によってその振動が妨げられない。従って、本楽器は、音量が減少することなく、音色がより良くなる。また、このような構成をギターに適用することで、ギターの音量を減少させることなく、そのギターの音色をより良くすることができる。
【図面の簡単な説明】
【０００８】
【図１】この発明による楽器の第１実施形態であるギター１の構成を示す平面図である。
【図２】同ギター１の側面上方向から俯瞰してギター１の内部を透視した透視斜視図である。
【図３】同ギター１の表板１２を透かして裏板１４の内側の面を示す透視平面図である。
【図４】図１のＡ−Ａ´線に沿って同ギター１の胴体１０を切断して胴体１０の内部の構成の一部を示す断面図である。
【図５】特許文献１のギターの周波数特性を例示する図である。
【図６】同ギター１の周波数特性を例示する図である。
【図７】この発明の第２実施形態であるギター１Ａの構成を示す透視平面図である。
【図８】図７のＢ−Ｂ´線に沿って同ギター１Ａの胴体１０を切断して胴体１０の内部の構成を示す断面図である。
【図９】この発明の第３実施形態であるギター１Ｂの構成を示す透視平面図である。
【図１０】図９のＣ−Ｃ´線に沿って同ギター１Ｂの胴体１０を切断して胴体１０の内部の構成の一部を示す断面図である。
【図１１】この発明の第４実施形態であるギター１Ｃの構成を示す透視平面図である。
【図１２】この発明の第５実施形態であるギター１Ｄの構成を示す断面図である。
【図１３】この発明の第６実施形態であるギター１Ｅの構成を示す断面図である。
【図１４】この発明の第７実施形態であるギター１Ｆの構成を示す組み立て図である。
【図１５】同ギター１Ｆの音響管片３００の構成を示す平面図である。
【図１６】この発明の第８実施形態であるギター１Ｇの側板１６を透かしてギター１Ｇの内部の構成を示す透視側面図である。
【図１７】同ギター１Ｇの音響管３０Ｇの構成を示す側面図および平面図である。
【発明を実施するための形態】
【０００９】
以下、図面を参照し、この発明の実施形態について説明する。
＜第１実施形態＞
図１は、この発明による楽器の第１実施形態であるギター１の構成を示す平面図である。図２は、ギター１の側面上方向から俯瞰してギター１の内部を透視した透視斜視図である。本実施形態のギター１は、アコースティックギターである。ギター１は、胴体１０、ネック２０、音響管３０および支持部材４０を有している。
【００１０】
胴体１０は、表板１２、裏板１４および側板１６によって構成された中空の箱状の部材である。表板１２および裏板１４は、互いに対向して配置された板状の部材である。側板１６は、表板１２と裏板１４との間に表板１２および裏板１４に交差するように配置された板状の部材である。側板１６は、表板１２の縁および裏板１４の縁に各々接着固定されている。側板１６は、表板１２と裏板１４とによって挟まれた空間を胴体１０の外部の空間から閉ざしている。本明細書では、胴体１０における表板１２側の面を正面と呼ぶ。
【００１１】
ネック２０は、断面が半円状の柱状部材である。ネック２０の一方の端部は、胴体１０の側板１６に固定されている。ネック２０を胴体１０側に延長した表板１２の面上には、ブリッジ５０が設けられている。ブリッジ５０とネック２０の他方の端部との間には、弦が張られる。この張られた弦の振動に応じて（換言すると、ギター１の演奏に応じて）、表板１２が振動し、胴体１０内の空気が共鳴する。なお、本明細書では、ネック２０を胴体１０側に延長したときの中心線のことをネック２０の延長線と呼び、そのネック２０の延長線に沿った方向をネック２０の延長方向と呼ぶ。
【００１２】
表板１２には、その表裏を貫通する円形のサウンドホール６０が設けられている。サウンドホール６０は、ネック２０とブリッジ５０の間の位置に設けられている。サウンドホール６０は、胴体１０内の共鳴音を胴体１０外に放射する役割を担う。また、サウンドホール６０付近の胴体は、ネック２０の延長方向に沿ってくびれている。
【００１３】
図３は、ギター１の表板１２を透かして裏板１４の内側の面を示す透視平面図である。裏板１４の内側の面には、棒状の複数の響棒１５ａ１〜１５ａ４、１５ｂ１および１５ｂ２が接着固定されている。響棒１５ａ１〜１５ａ４は、ネック２０の延長線に垂直に配置されたものである。響棒１５ａ１〜１５ａ４は、ネック２０の延長線に沿ってほぼ等間隔に配置されている。響棒１５ｂ１および１５ｂ２は、ネックの延長線にほぼ沿った方向に配置されたものである。響棒１５ｂ１および１５ｂ２は、ネック２０の延長線を挟むように配置されている。以後、響棒１５ａ１〜１５ａ４、１５ｂ１および１５ｂ２を区別しない場合には、響棒１５と表記する。響棒１５は、主に裏板１４を補強する役割を担う。響棒１５は、固定される位置および個数によってギター１の音色を調整する役割も担う。
【００１４】
また、ネック２０が胴体１０に固定される位置の当該胴体１０の内側には、ネック支持部材１７が設けられている。ネック支持部材１７は、ブロック状の部材である。ネック２０は、側板１６に固定されるとともに、ネック支持部材１７に固定される。ネック支持部材１７は、弦の張力に抗してネック２０を胴体１０に支持する役割を担う。
【００１５】
図４は、図１のＡ−Ａ´線（ネックの延長線）に沿ってギター１の胴体１０を切断して胴体１０の内部の構成の一部を示す断面図である。図４に示すように、胴体１０内には、音響管３０と支持部材４０とが収容されている。本実施形態によるギター１の特徴は、この音響管３０および支持部材４０にある。
【００１６】
図３および図４に示すように、音響管３０は、両端が開口している円筒状の管体である。音響管３０は、例えば、木材や合成樹脂などを成形してなるものであり、音響管３０の形状を維持する程度の剛性を有している。本明細書では、音響管３０の中心となる線を音響管３０の軸と呼ぶ。音響管３０の軸に沿った方向の長さ（以下、音響管３０の長さという）は、表板１２と裏板１４との間の距離よりも短くなっている。例えば、音響管３０の長さは、表板１２と裏板１４との間の距離の半分程度である。音響管３０の一方の開口端３２は、サウンドホール６０に向かって開口しており、他方の開口端３４は、裏板１４に向かって開口している。
【００１７】
音響管３０の内径は、サウンドホール６０の径と同じになっている。音響管３０は、その軸の延長線がサウンドホール６０の中心に重なるように配置されている。音響管３０の開口端３２は、表板１２の内側の面におけるサウンドホール６０の周縁部分に接触している。このため、音響管３０と表板１２との間に隙間はない。
【００１８】
胴体１０の内外の空気は、音響管３０の内側の空間およびサウンドホール６０を介して互いに移動する。このため、本実施形態による音響管３０およびサウンドホール６０は、バスレフポートとして機能する。すなわち、音響管３０は、ヘルムホルツ共鳴器におけるネックであり、胴体１０とともにヘルムホルツ共鳴器を構成している。より詳細には、音響管３０は、音響管３０の開口面の面積（サウンドホール６０の面積）、音響管３０に連通した胴体１０の容積、音響管３０の長さ（より正確には、胴体１０内の空間と音響管３０との境界面から胴体１０外の空間とサウンドホール６０との境界面までの距離）により決定されるヘルムホルツ共鳴周波数の音（具体的には低音）を増強する。
【００１９】
音響管３０は、表板１２に接触しているが、表板１２に固定されてはいない。このため、表板１２には音響管３０の質量が付加されない。従って、表板１２は、従来のギター（例えば特許文献１の筒状の部材を装着していない通常のギター）のそれと同様の振動を行う。すなわち、音響管３０は、表板１２の振動を妨げない。
【００２０】
支持部材４０は、音響管３０を表板１２に固定することなく胴体１０に固定する部材である。より詳細に説明する。本実施形態の支持部材４０は、棒状の部材である。支持部材４０は、例えば、木材や合成樹脂などを成形してなるものであり、音響管３０を支持可能な程度の剛性を有している。本実施形態では、４本の支持部材４０が音響管３０の周方向に沿って分散して設けられている。支持部材４０の一端は、音響管３０の開口端３４の端部に固定されている。支持部材４０の他端は、裏板１４の響棒１５に固定されている。具体的には、４本の支持部材４０のうちの２本は響棒１５ａ１に固定されており、残りの２本は、響棒１５ａ２に固定されている。このように、支持部材４０は、表板１２に固定されていない。従って、支持部材４０によって表板１２の振動を妨げることはない。また、表板１２の振動に伴って裏板１４も振動するが、響棒１５は、裏板１４よりも振動が小さい部分である。このように、響棒１５は元々振動が小さい部分であるため、支持部材４０が響棒１５に固定されても支持部材４０によって胴体１０全体の振動が妨げられる虞も少ない。なお、支持部材４０の形状および本数は上記に例示したものに限られない。
【００２１】
図５は、従来のギターに特許文献１の筒状の部材を着脱した際のギターの周波数特性を例示する図である。図５の実線は、特許文献１の筒状部材をサウンドホールに装着した場合のギターの周波数特性を示しており、図５の破線は、特許文献１の筒状の部材を取り外した場合のギターの周波数特性を示している。また、図６は、本実施形態のギター１の周波数特性を例示する図である。図６の実線は、ギター１の周波数特性を示しており、図６の破線は、ギター１から音響管３０を取り除いたギターの周波数特性を示している。
【００２２】
図５の実線の１００Ｈｚ付近のピークは、同破線の１００Ｈｚ付近のピークよりも低域側にシフトしている。同様に、図６の実線の１００Ｈｚ付近のピークは、同破線の１００Ｈｚ付近のピークよりも低域側にシフトしている。このように、本実施形態のギター１は、特許文献１の筒状の部材をサウンドホールに装着した態様と同様に、ギター１から音響管３０を取り除いたギターに比べ、低音が増強されている。
【００２３】
図５の実線の２００Ｈｚ付近のピークの音圧レベルは、同破線の２００Ｈｚ付近のピークの音圧レベルよりも低下している。さらに、図５の実線の２００Ｈｚ以上の各周波数の音圧レベルも、同破線の２００Ｈｚ以上の各周波数の音圧レベルよりも低下している。一方、図６の実線の２００Ｈｚ付近のピークの音圧レベルは、同破線の２００Ｈｚ付近のピークの音圧レベルと同じである。さらに、図６の実線の２００Ｈｚ以上の各周波数の音圧レベルも、同破線の２００Ｈｚ以上の各周波数の音圧レベルと同程度である。このように、特許文献１の筒状の部材を装着したギターに比べ、本実施形態によるギター１は、音圧レベルが低下しないため、音量が減少しない。
【００２４】
以上のように、本実施形態によるギター１は、バスレフポートとして機能する音響管３０と、その音響管３０を支持する支持部材４０とを有している。音響管３０および支持部材４０は、表板１２に固定されていないため、表板１２の振動を妨げない。すなわち、支持部材４０は、表板１２の振動を妨げることなく、音響管３０を胴体１０に固定している。このため、ギター１では、表板１２の振動を妨げることなく、低音を増強することができる。これにより、ギター１では、音量を減少させることなく、そのギター１の音色をより良くすることができる。具体的には、ギター１では、音響管をサウンドホールに装着しないギターに比べて音色（特に低音の音色）をより良くすることができ、さらに、音響管をサウンドホールに装着したギター（例えば特許文献１の筒状の部材を装着したギター）に比べて音量を減少させない。従って、ユーザは、ギター１を用いることにより、従来のギターと同様の音量を確保しつつ、より深みのある音を楽しむことができる。また、ギター１では、音響管３０は支持部材４０を介して響棒１５に固定されているため、表板１２の振動に伴う胴体１０全体の振動を妨げる虞も少ない。このため、ギター１では、低音を増強することによって楽器本来の鳴りが損なわれることもない。
【００２５】
＜第２実施形態＞
図７は、この発明による楽器の第２実施形態であるギター１Ａの構成を示す透視平面図である。図８は、図７のＢ−Ｂ´線に沿ってギター１Ａの胴体１０を切断して胴体１０の内部の構成を示す断面図である。図７および図８に示すように、本実施形態によるギター１Ａは、支持部材４０に代えて支持部材４０Ａを有する点において第１実施形態によるギター１と異なる。
【００２６】
支持部材４０Ａは、その一端が開口端３４の端部に固定されている点において支持部材４０と同様であるが、その他端が側板１６の内側の面に固定されている点において支持部材４０と異なる。より詳細に説明する。支持部材４０Ａは、開口端３４の端部におけるネック２０の延長線から遠い部分と、胴体１０のくびれている付近の側板１６との間に設けられている。支持部材４０Ａは、ネック２０の延長線に垂直に設けられており、裏板１４（あるいは表板１２）に水平に設けられている。本実施形態では、支持部材４０Ａは２個設けられており、各支持部材４０Ａは、開口端３４の端部から互いに反対方向の側面１６に向かって延びている。
【００２７】
このように、本実施形態によるギター１Ａにおいても、第１実施形態と同様に、音響管３０および支持部材４０Ａが表板１２に固定されていない。また、ギター１Ａでは、音響管３０は支持部材４０Ａを介して側板１６に固定されている。側板１６は、表板１２に比べてあまり振動しない部分である。側板１６は元々振動が小さい部分であるため、支持部材４０Ａが側板１６に固定されても支持部材４０Ａによって胴体１０全体の振動が妨げられる虞も少ない。従って、本実施形態においても、第１実施形態と同様の効果が得られる。
【００２８】
＜第３実施形態＞
図９は、この発明による楽器の第３実施形態であるギター１Ｂの構成を示す透視平面図である。図１０は、図９のＣ−Ｃ´線に沿ってギター１Ｂの胴体１０を切断して胴体１０の内部の構成の一部を示す断面図である。図９および図１０に示すように、本実施形態によるギター１Ｂは、支持部材４０に代えて支持部材４０Ｂを有する点において第１実施形態によるギター１と異なる。
【００２９】
支持部材４０Ｂは、その一端が開口端３４の端部に固定されている点において支持部材４０と同様であるが、その他端がネック支持部材１７に固定されている点において支持部材４０と異なる。より詳細に説明する。支持部材４０Ｂは、開口端３４の端部におけるネック２０側と、ネック支持部材１７との間に設けられている。支持部材４０Ｂは、ネック２０の延長線に沿って設けられており、裏板１４（あるいは表板１２）に水平に設けられている。
【００３０】
このように、本実施形態によるギター１Ｂにおいても、第１実施形態と同様に、音響管３０および支持部材４０Ｂが表板１２に固定されていない。また、ギター１Ｂでは、音響管３０は支持部材４０Ｂを介してネック支持部材１７に固定されている。ネック支持部材１７は、表板１２に比べてあまり振動しない部分である。ネック支持部材１７は元々振動が小さい部分であるため、支持部材４０Ｂがネック支持部材１７に固定されても支持部材４０Ｂによって胴体１０全体の振動が妨げられる虞も少ない。従って、本実施形態においても、第１実施形態と同様の効果が得られる。
【００３１】
＜第４実施形態＞
図１１は、この発明による楽器の第４実施形態であるギター１Ｃの構成を示す透視平面図である。本実施形態によるギター１Ｃは、第２実施形態のギター１Ａの技術的特徴と第３実施形態のギター１Ｂの技術的特徴を組み合わせたものである。すなわち、ギター１Ｃは、第２実施形態の支持部材４０Ａと第３実施形態の支持部材４０Ｂの両方を有している。
【００３２】
本実施形態によるギター１Ｃでは、ネック２０の延長線に垂直に配置された支持部材４０Ａとネック２０の延長線に沿って配置された支持部材４０Ｂの両方を有しているため、音響管３０をより確実に胴体１０に固定することができる。また、本実施形態によるギター１Ｃは、支持部材４０Ａおよび４０Ｂを有するため、第２実施形態および第３実施形態と同様の効果が得られる。
【００３３】
＜第５実施形態＞
図１２は、この発明による楽器の第５実施形態であるギター１Ｄの構成を示す断面図である。図１２は、ギター１Ｄのサウンドホール６０付近をネック２０の延長線に沿って切断したときのギター１Ｄの内部の構成を示している。本実施形態によるギター１Ｄは、緩衝材７０をさらに有する点において第１実施形態によるギター１と異なる。
【００３４】
緩衝材７０は、音響管３０の開口端３２とサウンドホール６０の周縁部分の表板１２の内側の面との間に設けられ、音響管３０と表板１２との隙間を埋める部材である。緩衝材７０は、柔軟な材料からなる部材であり、例えば、ウレタンスポンジである。緩衝材７０は、柔軟な部材であるため、表板１２の振動に応じて容易に変形する。このため、緩衝材７０は、表板１２の振動を妨げない。
【００３５】
本実施形態によるギター１Ｄでは、音響管３０の開口端３２が緩衝材７０を介してサウンドホール６０の周縁部分に接触しているため、音響管３０およびサウンドホール６０を介して胴体１０の内外を移動する空気が音響管３０と表板１２との間から漏えいすることはほとんどない。従って、ギター１Ｄでは、第１実施形態によるギター１と同様に、ヘルムホルツ共鳴が生じる。また、ギター１Ｄでは、緩衝材７０が表板１２の振動を妨げない。従って、本実施形態においても第１実施形態と同様の効果が得られる。
【００３６】
＜第６実施形態＞
図１３は、この発明による楽器の第６実施形態であるギター１Ｅの構成を示す断面図である。図１３は、ギター１Ｅのサウンドホール６０付近をネック２０の延長線に沿って切断したときのギター１Ｅの内部の構成を示している。本実施形態によるギター１Ｅは、第５実施形態のギター１Ｄを変形したものである。ギター１Ｅは、音響管３０に代えて音響管３０Ｅを有し、緩衝材７０に代えて緩衝材７０Ｅを有する点において第５実施形態のギター１Ｄと異なる。
【００３７】
音響管３０Ｅは、サウンドホール６０の径よりも若干小さい外径を有する円筒状の管体である点において音響管３０と異なる。音響管３０Ｅは、その軸がサウンドホール６０の中心に重なるように配置されている。音響管３０Ｅは、開口端３２Ｅの開口面がサウンドホール６０の開口面に重なるように配置されている。音響管３０Ｅは、第１および第５実施形態と同様に、支持部材４０によって裏板１４の響棒１５に固定されている。
【００３８】
緩衝材７０Ｅは、音響管３０Ｅの開口端３２Ｅの端部における側面と、サウンドホール６０の周縁部分におけるサウンドホール６０の中心に対向する面との間の極僅かな隙間に設けられ、その隙間を埋める部材である。緩衝材７０Ｅは、第５実施形態と同様に、柔軟な部材であり、表板１２の振動に応じて容易に変形する。
【００３９】
このように、本実施形態によるギター１Ｅは、表板１２の振動を妨げることなく音響管３０Ｅの開口端３２Ｅとサウンドホール６０の周縁との隙間を埋める緩衝材７０Ｅを有しているため、本実施形態においても第５実施形態と同様の効果が得られる。
【００４０】
＜第７実施形態＞
図１４は、この発明による楽器の第７実施形態であるギター１Ｆの構成の一部を示す組み立て図である。本実施形態によるギター１Ｆは、音響管３０に代えて音響管３０Ｆを有する点および支持部材４０に代えて支持部材４０Ｆを有する点において第１実施形態によるギター１と異なる。図１４に示すように、本実施形態によるギター１Ｆは、音響管３０Ｆを支持部材４０Ｆに対して着脱可能にし、支持部材４０Ｆを響棒１５（すなわち胴体１０）に対して着脱可能にしたものである。換言すると、ギター１Ｆは、音響管３０Ｆを胴体１０に対して着脱可能にしたものである。
【００４１】
音響管３０Ｆは、複数（図１４では、４個）の音響管片３００に分割される点において音響管３０と異なる。より詳細には、円筒状の音響管３０Ｆは、音響管３０Ｆの軸に沿った方向に切断されて、音響管３０Ｆの周方向に均等に４分割される。図１５は、分割された音響管片３００の構成を示す平面図である。音響管片３００の円弧方向（すなわち音響管３０Ｆの周方向）の一方の端部には、結合部３０１が設けられ、同他方の端部には、結合部３０２が設けられている。結合部３０１は、当該結合部３０１が設けられている端部から突出する部分である。一方、結合部３０２は、当該結合部３０２が設けられている端部から窪んでいる部分である。突出している結合部３０１は、窪んでいる結合部３０２に挿入可能になっている。このため、音響管片３００の結合部３０１を当該音響管片３００に隣接する音響管片３００の結合部３０１に挿入することにより、各音響管片３００から音響管３０Ｆを組み立てることができる一方、音響管片３００の結合部３０１を当該音響管片３００に隣接する音響管片３００の結合部３０２から取り出すことにより、音響管３０Ｆを各音響管片３００に分解することができる。また、音響管片３００における音響管３０Ｆに組み立てたときのその軸に沿った方向の一方の端部には、結合部３０３が設けられている。結合部３０３は、音響管片３００の側面から窪んでいる部分である。
【００４２】
支持部材４０Ｆは、棒状の両端に各々突起を有する点において支持部材４０と異なる。支持部材４０Ｆの一端の突起は、音響管片３００の窪んでいる結合部３０３に挿入可能になっている。このため、支持部材４０Ｆの一端の突起を音響管片３００の結合部３０３に挿入することにより、支持部材４０Ｆに音響管片３００（換言すると音響管３０Ｆ）を取り付けることができる一方、支持部材４０Ｆの一端の突起を音響管片３００の結合部３０３から取り出すことにより、支持部材４０Ｆから音響管片３００（換言すると音響管３０Ｆ）を取り外すことができる。また、本実施形態による響棒１５は、支持部材４０Ｆの他端の突起を挿入可能な窪みを有している。このため、支持部材４０Ｆの他端の突起を響棒１５の窪みに挿入することにより、支持部材４０Ｆを響棒１５（すなわち胴体１０）に取り付けることができる一方、支持部材４０Ｆの他端の突起を響棒１５の窪みから取り出すことにより、響棒１５（すなわち胴体１０）から支持部材４０Ｆを取り外すことができる。
【００４３】
低音を増強した音色を得たい場合には、ユーザは、ギター１Ｆに音響管３０Ｆおよび支持部材４０Ｆを装着する。具体的には、ユーザは、音響管３０Ｆを各音響管片３００に分解して、分解した各音響管片３００と支持部材４０Ｆとをサウンドホール６０から胴体１０内に収容した後に、胴体１０内において音響管３０Ｆを組み立てるとともに音響管３０Ｆと支持部材４０Ｆとを結合して支持部材４０Ｆを響棒１５に取り付ける。一方、従来のギターと同じ音色を得たい場合には、ユーザは、ギター１Ｆから音響管３０Ｆおよび支持部材４０Ｆを取り外す。具体的には、ユーザは、胴体１０内において響棒１５から支持部材４０Ｆを取り外して支持部材４０Ｆと音響管３０Ｆとを分離し、さらに音響管３０Ｆを各音響管片３００に分離した後に、分解した各音響管片３００と支持部材４０Ｆとをサウンドホール６０から胴体１０外に取り出す。
【００４４】
このように、本実施形態によるギター１Ｆは、音響管３０Ｆを支持部材４０Ｆに対して着脱可能な構成にしており、その結果、音響管３０Ｆを胴体１０に対して着脱可能にしている。ギター１Ｆは、音響管３０Ｆを胴体１０に取り付けると、第１実施形態のギター１と同様な状態になる。このため、本実施形態においても、第１実施形態と同様の効果が得られる。また、音響管３０Ｆを胴体１０に対して着脱可能であるため、ユーザは、低音を増強した音色とサウンドホールに音響管が取り付けられていない従来のギターと同じ音色のいずれかを選択することができ、ギター１Ｆの音色を調整することができる。このため、ギター１Ｆを用いれば、ユーザは、複数の音色の音を１個のギターで表現することができる。
【００４５】
また、本実施形態によるギター１Ｆでは、複数種類の音響管３０Ｆおよび支持部材４０Ｆを用意するようにしても良い。例えば、音響管３０Ｆの長さが異なる複数の音響管３０Ｆ（より正確には、組み立てた後の音響管３０Ｆの長さが異なる複数組の音響管片３００）と、それら複数の音響管３０Ｆの各々に対応する長さを有する複数の支持部材４０Ｆとを用意するようにしても良い。この態様では、ユーザは、長さの異なる音響管３０Ｆおよび支持部材４０Ｆの中から１の音響管３０Ｆおよび支持部材４０Ｆを選択し、その選択した音響管３０Ｆおよび支持部材４０Ｆを胴体１０に取り付ける。このため、この態様では、選択した音響管３０Ｆの長さに従ってヘルムホルツ共鳴周波数が変化してギター１Ｆの音色（特に低音の音色）が変化する。従って、この態様のギター１Ｆを用いれば、ユーザは、より多彩な音色の音を１個のギターで表現することができる。
【００４６】
なお、本実施形態のギター１Ｆは、音響管３０Ｆを支持部材４０Ｆから取り外すことが可能であるとともに、支持部材４０Ｆを響棒１５（胴体１０）から取り外すことが可能な構成になっていた。しかし、ギター１Ｆは、支持部材４０Ｆが響棒１５（胴体１０）に接着固定されていても良いし、支持部材４０Ｆが音響管３０Ｆに接着固定されていても良い。少なくとも、音響管３０Ｆを胴体１０から取り外すことができれば、本実施形態と同様の効果が得られるからである。
【００４７】
＜第８実施形態＞
図１６は、この発明による楽器の第８実施形態であるギター１Ｇの側板を透かしてギター１Ｇの内部の構成の一部を示す透視側面図である。本実施形態によるギター１Ｇは、音響管３０Ｅに代えて音響管３０Ｇを有する点および支持部材４０Ｅに代えて支持部材４０Ｇを有する点において第６実施形態によるギター１Ｅと異なる。図１６に示すように、本実施形態によるギター１Ｇは、音響管３０Ｇを支持部材４０Ｇに対して着脱可能にしたものである。また、本実施形態によるギター１Ｇは、音響管３０Ｇの着脱を実現する構成が第７実施形態によるギター１Ｆと異なる。
【００４８】
図１７は、音響管３０Ｇの構成を示す側面図および平面図である。音響管３０Ｇは、その外側面に溝部３９Ｇが設けられている点において音響管３０Ｅと異なる。溝部３９Ｇは、音響管３０Ｇの開口端３４Ｇから音響管３０Ｇの中央に向かって音響管３０Ｇの軸に沿った方向に延びる細長い窪みである。溝部３９Ｇは、複数個（例えば４個）設けられている。各溝部３９Ｇは、音響管３０Ｇの周方向に沿って分散して設けられている。また、音響管３０Ｇの溝部３９Ｇが設けられている開口端３４Ｇに対して反対の開口端３２Ｇの端部における側面には、音響管３０Ｇと表板１２との極僅かな隙間を塞ぐ緩衝材７０Ｅが固定されている。
【００４９】
図１６に示すように、支持部材４０Ｇは、その一端が溝部３９Ｇに挿入される点において支持部材４０と異なる。支持部材４０Ｇは、音響管３０Ｇの溝部３９Ｇの個数と同じ数（例えば４個）だけ設けられており、音響管３０Ｇの溝部３９Ｇと同様に音響管３０Ｇの周方向に沿って分散して設けられている。
【００５０】
低音を増強した音色を得たい場合には、ユーザは、音響管３０Ｇを支持部材４０Ｇに取り付ける。より詳細に説明すると、ユーザは、音響管３０Ｇの溝部３９Ｇの設けられている開口端３４Ｇ側から音響管３０Ｇをサウンドホール６０内に挿入する。次いで、ユーザは、支持部材４０Ｇの先端の位置と溝部３９Ｇの位置を合わせて、支持部材４０Ｇの先端を開口端３４Ｇ側から溝部３９Ｇ内に挿入する。そして、ユーザは、支持部材４０Ｇの先端が溝部３９Ｇ内において開口端３４Ｇ側から音響管３０Ｇの中央側の先端に向かって移動するように、音響管３０Ｇをサウンドホール６０内に挿入する。支持部材４０Ｇの先端が溝部３９Ｇにおける音響管３０Ｇの中央側の先端に到達すると、音響管３０Ｇの開口端３２Ｇの開口面はサウンドホール６０の開口面に重なり、緩衝材７０Ｅは音響管３０Ｇと表板１２との隙間を埋める。従って、音響管３０Ｇを支持部材４０Ｇに取り付けると第６実施形態と同じ状態になり、この状態では、第６実施形態と同様の効果が得られる。
【００５１】
従来のギターと同じ音色を得たい場合には、ユーザは、音響管３０Ｇを支持部材４０Ｇから取り外す。より詳細に説明すると、ユーザは、支持部材４０Ｇの先端が溝部３９Ｇ内において音響管３０Ｇの中央側の先端から開口端３４Ｇに向かって移動するように音響管３０Ｇを移動して、支持部材４０Ｇの先端を溝部３９Ｇ外へ取り出す。そして、ユーザは、支持部材４０Ｇから取り外した音響管３０Ｇをサウンドホール６０から胴体１０外に取り出す。
【００５２】
このように、本実施形態によるギター１Ｇは、音響管３０Ｇを支持部材４０Ｇに対して着脱可能にすることにより音響管３０Ｇを胴体１０に対して着脱可能にしている。このため、本実施形態においても、第７実施形態と同様の効果が得られる。また、本実施形態によるギター１Ｇは、音響管を音響管片に分解することなく着脱可能であるため、第７実施形態によるギター１Ｆに比べて、着脱が容易である。
【００５３】
また、本実施形態によるギター１Ｇにおいても、第７実施形態と同様に、複数種類の音響管３０Ｇ（例えば、音響管３０Ｇの長さが異なる音響管３０Ｇ）を用意するようにしても良い。そして、第７実施形態と同様に、ユーザは、長さの異なる音響管３０Ｇの中から１の音響管３０Ｇを選択し、その選択した音響管３０Ｇを支持部材４０Ｇに取り付ける。この態様では、溝部３９Ｇは、音響管３０Ｇの溝部３９Ｇの設けられていない開口端３２Ｇから溝部３９Ｇにおける音響管３０Ｇの中央側の先端までの距離が複数の音響管３０Ｇの各々において同じになるように設けられる。溝部３９Ｇがこのように設けられることにより、音響管３０Ｇの長さが異なっていても音響管３０Ｇの開口端３２Ｇの開口面をサウンドホール６０の開口面に重ね合わせることができる。この態様においても、第７実施形態と同様に、選択した音響管３０Ｇの長さに従ってヘルムホルツ共鳴周波数が変化してギター１Ｇの音色が変化する。従って、この態様のギター１Ｇを用いれば、ユーザは、より多彩な音色の音を１個のギターで表現することができる。
【００５４】
本実施形態では、支持部材４０Ｇの他端は響棒１５に固定されている。しかし、支持部材４０Ｇは、響棒１５（すなわち胴体１０）に対して着脱可能になっていても良い。音響管３０Ｇが胴体１０に対して着脱可能であることに変わりはないからである。その着脱可能な構成は、第７実施形態と同様にして実現することができる。
【００５５】
＜他の実施形態＞
以上、この発明の第１から第８実施形態について説明したが、この発明には他にも実施形態が考えられる。例えば次の通りである。
【００５６】
（１）上記各実施形態では、アコースティックギターに関する具体的な実施形態を例示した。しかし、本発明による楽器は、アコースティックギターに限られない。少なくとも、サウンドホールが設けられた表板であって、演奏によって振動する表板を有する楽器であれば、本発明の技術的特徴を適用することができる。例えば、音を電気的に増幅する機能を有するアコースティックギター（いわゆるエレアコ）や、バイオリンなどの他の弦楽器に適用することができる。さらには、弦楽器に限られず、カホンなどの打楽器にも適用することができる。カホンなどもサウンドホールが設けられた表板であって、演奏によって振動する表板を備えているからである。
【００５７】
（２）上記第５および第６実施形態における緩衝材７０および７０Ｅは、ウレタンスポンジであった。しかし、緩衝材は、ウレタンスポンジに限られない。少なくとも、表板の振動を妨げることなく音響管と表板との隙間を埋めることが可能な材料であれば良い。例えば、緩衝材は、ゴムなどの弾性体からなるものであっても良いし、剛性の低い薄膜であっても良い。
【００５８】
（３）上記各実施形態による音響管３０〜３０Ｇは、まっすぐな円筒状の管であった。しかし、音響管の形状は、これに限られない。音響管は、その一方の開口端から他方の開口端に至る途中において屈曲していても良い。具体的には、音響管の一方の開口端がサウンドホールの周縁部分に接し、他方の開口端が側面に向かって開口する、という具合である。この態様では、例えば、屈曲することよって裏板と向かい合うようになった音響管の側面に支持部材の一端を固定すれば良い。このように音響管を屈曲させると、音響管の長さを表板と裏板との間の距離よりも長くすることができる。また、音響管は、ｆ形のサウンドホールに合わせた形状の管であっても良い。この態様においても、上記各実施形態と同様の効果が得られる。また、音響管の両端付近の形状を、音響管の内壁により囲まれた空間が音響管の中央側から両端に進むに従って放射状に徐々に広がるフレア形状にしても良い。この態様では、音響管を介した空気の流入および流出を滑らかにすることができ、空気の流入および流出に起因する異音（いわゆる風切り音）の発生を低減することができる。
【００５９】
（４）上記各実施形態による支持部材４０〜４０Ｇは、棒状の部材であった。しかし、支持部材は、棒状の部材に限られない。例えば、支持部材は、板状の部材であっても良い。また、支持部材による音響管の支持態様は、接着固定に限られない。例えば、磁石を用いて音響管を固定しても良い。具体的には、音響管を鉄材からなる管体とし、支持部材の先端に磁石を設け、支持部材の先端と音響管とを磁力により結合する、という具合である。
【００６０】
（５）上記第７および第８実施形態によるギター１Ｆおよび１Ｇは、音響管３０Ｆおよび３０Ｇを支持部材４０Ｆおよび４０Ｇおよび胴体１０に対して着脱可能にしたものであった。音響管を支持部材および胴体に対して着脱可能な具体的な構成は、上記第７および第８実施形態に例示した構成に限られない。
【００６１】
（６）上記各実施形態の特徴を組み合わせても良い。
【００６２】
（７）上記第１実施形態のギター１では、音響管３０の開口端３２がサウンドホール６０の周縁部分に接していた。しかし、音響管３０の開口端３２がサウンドホール６０の周縁部分に近接して、音響管３０の開口端３２とサウンドホール６０の周縁部分との間に極僅かな隙間を有していても良い。この極僅かな隙間は、具体的には、音響管３０の側壁を開口端３２から表板１２の内側の面まで延長したときの当該延長した側壁部分の表面積（すなわち、隙間部分の表面積）が、開口端３２の開口面の面積あるいはサウンドホール６０の面積よりも十分に小さくなるような隙間である。さらに具体的には、音響管３０の開口端３２と表板１２の内側の面との間の距離は、１ｍｍ以下であり、好ましくは０．３ｍｍ以下である。このように、音響管３０と表板１２との隙間は極僅かであるため、音響管３０およびサウンドホール６０を介する空気の移動に際して、この隙間から漏えいする空気は少ない。このため、この態様においても、音響管３０およびサウンドホール６０は、バスレフポートとして機能する。従って、この態様においても、第１実施形態と同様の効果が得られる。
【００６３】
（８）ギターは、表板１２が振動しない間は音響管３０の開口端３２とサウンドホール６０の周縁部分との間に僅かな隙間を有し、表板１２が振動した際には音響管３０の開口端３２とサウンドホール６０の周縁部分とが接触するものであっても良い。この態様においても、第１実施形態と同様の効果が得られる。
【００６４】
（９）上記第８実施形態では、音響管３０Ｇに緩衝材７０Ｅが設けられていた。しかし、この緩衝材７０Ｅを省略しても良い。この際、音響管３０Ｇの開口端３２は、サウンドホール６０の周縁部分に接していても良いし近接していても良い。音響管３０Ｇを装着することによって音量を減少させずに低音が増強されることと、音響管３０Ｇを着脱することによって音響管３０Ｇの音色が変わることに変わりはないからである。
【００６５】
（１０）上記各実施形態による音響管３０〜３０Ｇは、表板１２に固定されず、かつ、支持部材４０〜４０Ｇを介して表板１２以外の他の胴体１０部分に固定されていた。しかし、音響管は、支持部材を介して表板以外の他の胴体部分に固定されるとともに、表板に固定されても良い。この態様では、音響管は支持部材と表板とによって支持されるため、音響管の質量は、支持部材と表板とに分散される。すなわち、表板には、音響管の質量の一部が付加される。このため、表板の振動は、音響管が表板に固定されない態様に比べて減衰するものの、音響管が表板のみに固定される態様に比べて減少する度合いは少ない。従って、上記各実施形態に比べて音量は減少するものの、音響管が表板のみに固定される態様に比べて音量の減少する度合いは少なくなる。
【符号の説明】
【００６６】
１，１Ａ，１Ｂ，１Ｃ，１Ｄ，１Ｅ，１Ｆ，１Ｇ…ギター、１０…胴体、１２…表板、１４…裏板、１５…響棒、１６…側板、１７…ネック支持部材、２０…ネック、３０，３０Ｅ，３０Ｆ，３０Ｇ…音響管、３２，３４…開口端、３９Ｇ…溝部、３００…音響管片、３０１，３０２，３０３…結合部、４０，４０Ａ，４０Ｂ，４０Ｆ，４０Ｇ…支持部材、５０…ブリッジ、６０…サウンドホール、７０，７０Ｅ…緩衝材。
【図１】
0006485131.tif 000002
【図２】
0006485131.tif 000003
【図３】
0006485131.tif 000004
【図４】
0006485131.tif 000005
【図５】
0006485131.tif 000006
【図６】
0006485131.tif 000007
【図７】
0006485131.tif 000008
【図８】
0006485131.tif 000009
【図９】
0006485131.tif 000010
【図１０】
0006485131.tif 000011
【図１１】
0006485131.tif 000012
【図１２】
0006485131.tif 000013
【図１３】
0006485131.tif 000014
【図１４】
0006485131.tif 000015
【図１５】
0006485131.tif 000016
【図１６】
0006485131.tif 000017
【図１７】
0006485131.tif 000018